(57)【要約】【課題】注出口の内部に位置するプルリングを切除する従来構成を見直し、キャップを取り外すことなく、直接的にプルリングを引くことで、キャップの開封と、注出口の初期開封とを同時に行うことが可能な、新しい形態のキャップ付き注出口を提供することを課題とする。さらには、注出口の初期開封が行われたかを一見して識別可能なキャップ付き注出口を提供することを課題とする。【解決手段】注出口とキャップとプルリングとを有するキャップ付き注出口であって、前記注出口と前記キャップとが薄肉を介して一体に形成されるとともに、前記キャップの外周に、開封時に破断する接続部と破断しないヒンジ部とを介して、リング状のプルリングが連結されることにより、初期開封時、前記プルリングを持ち上げるとともに前記接続部を破断して、リング状のプルリングを形成し、該プルリングに指を掛けて引くことにより、前記薄肉を破断して前記キャップを初期開封することを特徴とする、キャップ付き注出口である。【選択図】図１
2008230642.tif 000002
【特許請求の範囲】
【請求項１】
注出口とキャップとプルリングとを有するキャップ付き注出口であって、前記注出口と前記キャップとが薄肉を介して一体に形成されるとともに、前記キャップの外周に、開封時に破断する接続部と破断しないヒンジ部とを介して、リング状のプルリングが連結されることにより、初期開封時、前記プルリングを持ち上げるとともに前記接続部を破断して、リング状のプルリングを形成し、該プルリングに指を掛けて引くことにより、前記薄肉を破断して前記キャップを初期開封することを特徴とする、キャップ付き注出口。
【請求項２】
前記プルリングに、該プルリングの一部が開封方向へと湾曲した形状からなる、持ち手を形成したことを特徴とする、請求項１記載のキャップ付き注出口。
【請求項３】
前記プルリングに形成された、前記ヒンジ部と前記持ち手とが、それぞれ前記プルリングの対称位置に形成されるとともに、前記接続部が、前記ヒンジ寄りに形成されることを特徴とする、請求項２に記載のキャップ付き注出口。
【請求項４】
開封後の前記キャップは、再び前記注出口へと再封自在に形成されることを特徴とする、請求項１乃至３記載のキャップ付き注出口。
【請求項５】
前記キャップの円周に、凸リブを形成することにより、前記キャップと前記注出口とを緊密に密封可能としたことを特徴とする、請求項１乃至４記載のキャップ付き注出口。
【発明の詳細な説明】
【技術分野】
【０００１】
本発明は、注出口とキャップとプルリングとが一体に形成されてなるキャップ付き注出口に関する。
【背景技術】
【０００２】
従来、図１０（ａ）に示すように、内容物を注出するための注出口１を取り付けた注出口付きカートンが広く使用されている。この種の注出口１は、キャップ２を用いて閉塞されるとともに、さらには、図１０（ｂ）に示すように、注出口１の内部に、初期開封時に切除して注出口１を開封するためのプルリング３付き閉塞面が形成されている。
【０００３】
よって、消費者が商品購入後において、一旦キャップ２を取り外した後、注出口１の内部に位置するプルリング３を外方へと引き出してプルリング３を引くことにより、注出口の閉塞面を破断して注出口１を初期開封する必要がある。
【０００４】
このため、注出口１に螺着されたキャップ２を取り外す手間や、注出口１の内部に収容されたプルリング３を外方へと引き出す手間等を要し、キャップ付き注出口の初期開封が困難であるという問題がある。
【０００５】
さらには、プルリング３が注出口１の内部に位置しており、注出口１にはキャップ２が被せてあるため、注出口１が初期開封前の状態であるか、若しくはプルリング３が除去された初期開封後であるか、を一見して識別することができず、悪戯等により、キャップ２を取り外してプルリング３を取り除いても、キャップ２を元のように注出口１へと取り付けてしまうと、外観は注出口１の初期開封前となんら変わらない。よって、商品の改ざん等を容易に識別できないという問題があった。
【発明の開示】
【発明が解決しようとする課題】
【０００６】
そこで本発明は、注出口の内部に位置するプルリングを切除する従来構成を見直し、キャップを取り外すことなく、直接プルリングを引くことで、キャップの開封と注出口の初期開封とを同時に行うことが可能な、新しい開封形態のキャップ付き注出口を提供することを課題とする。さらには、注出口の初期開封が行われたかを一見して識別可能なキャップ付き注出口を提供することを課題とする。
【課題を解決するための手段】
【０００７】
上記の課題を解決するために、請求項１記載の発明は、注出口とキャップとプルリングとを有するキャップ付き注出口であって、前記注出口と前記キャップとが薄肉を介して一体に形成されるとともに、前記キャップの外周に、開封時に破断する接続部と破断しないヒンジ部とを介して、リング状のプルリングが連結されることにより、初期開封時、前記プルリングを持ち上げるとともに前記接続部を破断して、リング状のプルリングを形成し、該プルリングに指を掛けて引くことにより、前記薄肉を破断して前記キャップを初期開封することを特徴とする、キャップ付き注出口である。
【０００８】
また、請求項２記載の発明は、前記プルリングに、該プルリングの一部が開封方向へと湾曲した形状からなる、持ち手を形成したことを特徴とする、キャップ付き注出口である。
【０００９】
また、請求項３記載の発明は、前記プルリングに形成された、前記ヒンジ部と前記持ち手とが、それぞれ前記プルリングの対称位置に形成されるとともに、前記接続部が、前記ヒンジ寄りに形成されることを特徴とする、キャップ付き注出口である。
【００１０】
また、請求項４記載の発明は、開封後の前記キャップは、再び前記注出口へと再封自在に形成されることを特徴とする、キャップ付き注出口である。
【００１１】
また、請求項５記載の発明は、前記キャップの円周上に凸リブを形成することにより、前記キャップと前記注出口とを、緊密に密封可能としたことを特徴とする、キャップ付き注出口である。
【発明の効果】
【００１２】
本発明の請求項１記載の発明は、注出口とキャップとプルリングとを有するキャップ付き注出口であって、前記注出口と前記キャップとが薄肉を介して一体に形成されるとともに、前記キャップの外周に、開封時に破断する接続部と破断しないヒンジ部とを介して、リング状のプルリングが連結されることにより、初期開封時、前記プルリングを持ち上げるとともに前記接続部を破断して、リング状のプルリングを形成し、該プルリングに指を掛けて引くことにより、前記薄肉を破断して前記キャップを初期開封することを特徴とするから、キャップの外周に形成されたプルリングを引くことにより、キャップ付き注出口の初期開封が可能な、新しい形態のキャップ付き注出口を提供することが可能である。さらには、一見してキャップ付き注出口の初期開封の有無を識別することが可能である。
【００１３】
また、請求項２記載の発明は、前記プルリングに、該プルリングの一部が開封方向へと湾曲した形状からなる、持ち手を形成したことを特徴とするから、キャップ付き注出口の開封開始箇所が容易に識別可能であり、さらには、プルリングを持ち上げ易くなる効果がある。
【００１４】
また、請求項３記載の発明は、前記プルリングに形成された、前記ヒンジ部と前記持ち手とが、それぞれ前記プルリングの対称位置に形成されるとともに、前記接続部が、前記ヒンジ寄りに形成されることを特徴とするから、前記持ち手を力点とし、前記ヒンジを支点とし、前記接続部を作用点とする梃子を形成するため、前記持ち手を持ち上げることにより、前記ヒンジ寄りに形成された前記接続部を少ない力でもって容易に破断可能とし、キャップ付き注出口の初期開封を容易に行なうことが可能である。
【００１５】
また、請求項４記載の発明は、開封後の前記キャップは、再び前記注出口へと再封自在に形成されることを特徴とするから、初期開封後は、従来のキャップ付き注出口同様にキャップの再封が可能である。
【００１６】
また、請求項５記載の発明は、前記キャップの円周上に凸リブを形成することにより、前記キャップと前記注出口とを、緊密に密封可能としたことを特徴とするから、初期開封後のキャップを注出口へと嵌合した際に、キャップを注出口へと強固に嵌合することが可能であり、内容物の密封性をさらに向上する効果がある。
【発明を実施するための最良の形態】
【００１７】
本発明のキャップ付き注出口Ａの一例としては、図１に示すように、キャップ本体２（キャップ２）と、注出口本体１（注出口１）とが一体に成型されてなるキャップ付き注出口Ａであって、前記キャップ２の外周に沿って、略リング形状からなるプルリング３が、１つのヒンジ部５と、４つの接続部４と、を介して連設されている。
【００１８】
前記プルリングは、ヒンジ部５と対称の位置において、プルリング３の一部が上方へと湾曲した形状からなる持ち手７を有しており、後述する、持ち手７を起点にプルリング３を持ち上げることにより、プルリング３の接続部４を破断して初期開封を行うものである。
【００１９】
そして、このキャップ付き注出口Ａの初期開封時においては、まず、図２（ａ）に示すように、前記プルリングの持ち手７を（点線方向へと）持ち上げて、図２（ｂ）に示すように、前記接続部４を破断しリング状のプルリング３を形成した後、該プルリング３へと指先を挿入して、さらに、（点線方向へと）キャップ２を引上げることにより、キャップ２と注出口１との、図示しない、薄肉６が破断して、図２（ｃ）に示すように、キャップ２を開封するとともに注出口１に開口１０を形成することが可能である。そして、図２（ｄ）に示すように、開封後のキャップ２を、再び注出口１へと（点線方向へと）嵌合することにより、キャップ２を再封して注出口１を密封することが可能である。
【００２０】
このように、本発明のキャップ付き注出口Ａは、従来のように、キャップ２と注出口１とがそれぞれ別部材からなるキャップ付き注出口とは異なり、１つの部材からなるキャップ付き注出口Ａが、初期開封後において、キャップ２と注出口１とのそれぞれ別部材を形成することが可能である。特に、プルタブを引く要領で、初期開封を容易に行なうことが可能であり、ワンタッチで簡単にキャップ付き注出口Ａを開封することが可能である。さらには、プルリング３と複数の接続部４とが接続されている場合には、注出口１の初期開封が行われていないことを一見して識別することが可能である。
【００２１】
本発明に係るキャップ付き注出口Ａは、詳しくは、図３に示すように、初期開封前において、前記キャップ本体２と前記注出口１とが薄肉部６を介して一体に形成されている。特に、前記キャップ本体２の側面から外方へと、初期開封時に破断する、細い線状部材からなる複数の接続部４が形成され、他方、１の側面部分からは、初期開封時に破断しない、太い面状部材からなるヒンジ部５が形成されている。そして、前記キャップ本体２の外周に沿ってリング状のプルリング３が形成され、該プルリング３の内側と前記キャップ２の側面とが、前記接続部４および前記ヒンジ部５を介して連結している。
【００２２】
そして、前記プルリング３の一部分には、該リングの一部が上方へと持ち上がった湾曲形状からなる持ち手７が形成されており、該持ち手７と対称の位置に前記ヒンジ部５が形成されている。他方、前記接続部４は、前記持ち手７よりヒンジ部５寄りの位置において複数形成されている。
【００２３】
これにより、後述する、キャップ付き注出口Ａの初期開封時において、プルリング３の前記持ち手７を持ち上げることにより、プルリングがヒンジ５を支点とする梃子を形成して、前記複数の接続部４を少ない力でもって容易に破断することが可能である。
【００２４】
また、後述する、注出口１をカートンの貫通孔へと係合するための複数の突起８が形成され、該突起８の下方には、注出口１をカートンへと接合するための、円盤状の部材からなるフランジ９が形成されている。
【００２５】
以下に、本発明のキャップ付き注出口Ａを初期開封する方法を示す。
まず、図４に示すように、キャップ付き注出口Ａの、前記プルリング３の持ち手７をつまみ、若しくは持ち手７に指先を掛けて、プルリング３を上方へと持ち上げることにより、図５に示すように、プルリング３とキャップ２とを連結する前記接続部４が破断するとともに、プルリング３がヒンジ５を軸に回転して、リング状のプルリング３を形成する。
【００２６】
このとき、複数の接続部４がヒンジ５寄りに形成されており、持ち手７を軽く持ち上げるだけで容易に複数の接続部４を破断して、リング状のプルリング３を形成することが可能である。
【００２７】
そして、リング状のプルリング３へと指先を挿入して、さらに上方へとプルリング３を引くことにより、ヒンジ５を介してキャップ２が持ち上がり、キャップ２と注出口１とを繋ぐ薄肉６が破断するとともに、図６に示すように、注出口１からキャップ２を取り外すことが可能である。
【００２８】
よって、注出口１の初期開封を片手で簡単かつスムースに行なうことが可能であり、さらには、図７に示すように、取り外したキャップ本体２を再び注出口１へと挿入することにより、簡単にキャップ２を再封して注出口１を密封することが可能となる。
【００２９】
特に、プルリング３に指先を挿入して、力を加えてキャップ２を引上げることが可能であり、キャップ２と注出口１とを繋ぐ薄肉６を容易に破断して、キャップ付き注出口Ａの初期開封を行うことが可能である。
【００３０】
このように、本発明のキャップ付き注出口Ａは、キャップ２と注出口１とが一体に形成された状態で、キャップ２の外周に形成されたプルリング３を引く簡単な操作により、キャップ付き注出口Ａの初期開封を簡単に行なうことが可能である。さらには、一見して注出口１の初期開封の有無を識別することが可能である。
【００３１】
そして、本発明のキャップ付き注出口Ａは、図８（ａ）に示すように、キャップ付き注出口Ａをカートンに形成された貫通孔ｋの内側から挿入することにより、注出口１の突起８が貫通孔ｋの縁へと係合し、カートンＫの内側部分に注出口１のフランジ９部分をシールして接合することにより、注出口付きカートンＫを形成することが可能である。
【００３２】
特に、初期開封前のキャップ付き注出口Ａは、プルリング３とキャップ２とが接続部４を介して連結されているため、キャップ付き注出口Ａの初期開封の有無を一見して識別することが可能である。
【００３３】
そして、キャップ付き注出口Ａの初期開封時において、キャップの外周に形成された前記プルリング３を引く簡単な方法により、図８（ｂ）に示すように、キャップ２を容易に取り外して注出口１を初期開封することが可能である。
【００３４】
本発明のキャップ付き注出口Ａは、上記例に限られることなく、例えば、図９（ａ）に示すように、前記キャップ２と前記注出口１との嵌合部分における、前記キャップ２の円周に、凸状のリブＰ（凸リブＰ）を形成してもよく、これにより、初期開封後のキャップ２を注出口１へと嵌合した際に、図９（ｂ）に示すように、キャップ２を注出口１へと強固に嵌合することが可能であり、内容物の密封性をさらに向上する効果がある。
【００３５】
以上のように、本発明のキャップ付き注出口Ａは、注出口１とキャップ２とプルリング３とが一体に形成されてなるキャップ付き注出口Ａであって、前記注出口１と前記キャップ２とが薄肉６を介して一体に形成されるとともに、前記キャップ２の外周に、開封時に破断する接続部４と破断しないヒンジ部５とを介してプルリング３が連結されることにより、初期開封時、前記プルリング３を持ち上げて前記接続部４を破断し、プルリング３を開放した後、該開放後のプルリング３へと指を掛けて引くことにより、前記薄肉６を破断して簡単にキャップ２を取り外すことが可能である。
【００３６】
そして、前記プルリング３に、該プルリング３の一部が開封方向へと湾曲した形状からなる持ち手７を形成することにより、キャップ付き注出口Ａの開封開始箇所が容易に識別可能であり、さらには、プルリング３を持ち上げ易くなる効果がある。
【００３７】
また、前記プルリング３に形成された、前記ヒンジ部５と前記持ち手７とが、それぞれ前記プルリング３の対称位置に形成されるとともに、前記接続部４が、前記ヒンジ寄りに形成されることにより、前記持ち手７を力点とし、前記ヒンジ５を支点とし、前記接続部４を作用点とする梃子を形成するため、前記持ち手７を持ち上げることにより、前記ヒンジ５寄りに形成された前記接続部４を少ない力でもって容易に破断可能とし、キャップ付き注出口Ａの初期開封を容易に行なうことが可能である。
【００３８】
さらには、開封後の前記キャップ２は、再び前記注出口１へと再封自在に形成されており、初期開封が容易かつスムースに行なえる新しい形態のキャップ付き注出口Ａを提供することが可能である。また、本発明のキャップ付き注出口Ａは、一見して初期開封の有無を識別することが可能である。
【００３９】
前記キャップ付き注出口Ａの、前記注出口１、前記キャップ２および前記プルリング３の材料には、従来より用いられる材料を適宜使用すればよく、例えば、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【図面の簡単な説明】
【００４０】
【図１】本発明のキャップ付き注出口を示す図である。
【図２】本発明のキャップ付き注出口を示す説明図である。（ａ）初期開封前の状態を示す図である。（ｂ）初期開封時を示す図である。（ｃ）開封後の注出口を示す図である。（ｄ）キャップを再封した場合を示す図である。
【図３】本発明のキャップ付き注出口を示す一部切断説明図である。
【図４】本発明のキャップ付き注出口を開封する様子を示す説明図である。
【図５】本発明のキャップ付き注出口を開封する様子を示す説明図である。
【図６】本発明のキャップ付き注出口を開封する様子を示す説明図である。
【図７】本発明のキャップ付き注出口を再封する様子を示す説明図である。
【図８】キャップ付き注出口をカートンに取り付けた場合の一例を示す説明図である。  （ａ）初期開封前の状態を示す図である。  （ｂ）キャップ開封後を示す図である。
【図９】本発明のキャップ付き注出口の別の例を示す説明図である。  （ａ）初期開封前の状態を示す、一部切断説明図である。  （ｂ）キャップの閉封時を示す、一部切断説明図である。
【図１０】従来のキャップ付き注出口を示す図である。  （ａ）従来のキャップ付き注出口を示す図である。  （ｂ）キャップを開封した場合を示す図である。
【符号の説明】
【００４１】
１  キャップ本体（キャップ）
２  注出口本体（注出口）
３  プルリング
４  接続部
５  ヒンジ部
６  薄肉
７  持ち手
８  突起
９  フランジ
１０  開口
Ａ  キャップ付き注出口
Ｐ  凸リブ
【図１】
2008230642.tif 000003
【図２】
2008230642.tif 000004
【図３】
2008230642.tif 000005
【図４】
2008230642.tif 000006
【図５】
2008230642.tif 000007
【図６】
2008230642.tif 000008
【図７】
2008230642.tif 000009
【図８】
2008230642.tif 000010
【図９】
2008230642.tif 000011
【図１０】
2008230642.tif 000012